(57)【特許請求の範囲】
【請求項１】
ビーコン信号を送信する送信機を識別するための識別情報を含むビーコン信号を受信するビーコン受信ステップと、
前記ビーコン受信ステップにより前記ビーコン信号を受信した場合に、受信された前記ビーコン信号に含まれる前記識別情報を用いて予め定められた条件を満たすか否かを判定した判定結果を取得する取得ステップと、
前記取得ステップにより取得された前記判定結果が、前記予め定められた条件を満たすことを示す場合に、利用者に情報を提供するための予め定められた処理を実行する実行ステップと
をコンピュータに実行させ、
前記予め定められた条件は、前記識別情報により特定される言語情報と、前記コンピュータに予め設定されている言語情報とが一致することを特徴とするプログラム。
【請求項２】
ビーコン信号を送信する送信機を識別するための識別情報を含むビーコン信号を受信するビーコン受信ステップと、
前記ビーコン受信ステップにより前記ビーコン信号を受信した場合に、受信された前記ビーコン信号に含まれる前記識別情報を用いて予め定められた条件を満たすか否かを判定した判定結果を取得する取得ステップと、
前記取得ステップにより取得された前記判定結果が、前記予め定められた条件を満たすことを示す場合に、利用者に情報を提供するための予め定められた処理を実行する実行ステップと
をコンピュータに実行させ、
複数の前記コンピュータが１つの前記送信機から略同時に当該送信機から送信された前記ビーコン信号を受信した場合には、受信した前記ビーコン信号の信号強度が大きい順に、前記実行ステップにより前記予め定められた処理が実行されることを特徴とするプログラム。
【請求項３】
通信装置であって、
ビーコン信号を送信する送信機を識別するための識別情報を含むビーコン信号を受信するビーコン受信部と、
前記ビーコン受信部により前記ビーコン信号を受信した場合に、受信された前記ビーコン信号に含まれる前記識別情報を用いて予め定められた条件を満たすか否かを判定した判定結果を取得する取得部と、
前記取得部により取得された前記判定結果が、前記予め定められた条件を満たすことを示す場合に、利用者に情報を提供するための予め定められた処理を実行する実行部と
を有し、
前記予め定められた条件は、前記識別情報により特定される言語情報と、前記通信装置に予め設定されている言語情報とが一致することを特徴とする通信装置。
【請求項４】
通信装置であって、
ビーコン信号を送信する送信機を識別するための識別情報を含むビーコン信号を受信するビーコン受信部と、
前記ビーコン受信部により前記ビーコン信号を受信した場合に、受信された前記ビーコン信号に含まれる前記識別情報を用いて予め定められた条件を満たすか否かを判定した判定結果を取得する取得部と、
前記取得部により取得された前記判定結果が、前記予め定められた条件を満たすことを示す場合に、利用者に情報を提供するための予め定められた処理を実行する実行部と
を有し、
複数の前記通信装置が１つの前記送信機から略同時に当該送信機から送信された前記ビーコン信号を受信した場合には、受信した前記ビーコン信号の信号強度が大きい順に、前記実行部により前記予め定められた処理が実行されることを特徴とする通信装置。
【請求項５】
ビーコン信号を送信する送信機から当該送信機を識別するための送信機識別情報を含むビーコン信号を受信する通信装置と無線通信を行うためのアクセスポイントを経由して通信可能なサーバ装置であって、
前記送信機識別情報を受信する識別情報受信部と、
前記識別情報受信部により受信された前記送信機識別情報を用いて、予め定められた条件を満たすか否か判定する判定部と、
前記判定部により前記予め定められた条件を満たすと判定された場合に、前記送信機識別情報により特定される画像データを前記通信装置に判定結果として送信する判定結果送信部と
を有し、
前記予め定められた条件は、前記送信機識別情報により特定される言語情報と、前記通信装置に予め設定されている言語情報とが一致することを特徴とするサーバ装置。
【請求項６】
ビーコン信号を送信する送信機から当該送信機を識別するための送信機識別情報を含むビーコン信号を受信する通信装置と無線通信を行うためのアクセスポイントを経由して通信可能なサーバ装置であって、
前記通信装置が接続している前記アクセスポイントを示すアクセスポイント識別情報と、前記送信機識別情報とを受信する識別情報受信部と、
前記識別情報受信部により受信された前記アクセスポイント識別情報と前記送信機識別情報とを用いて、予め定められた条件を満たすか否か判定する判定部と、
前記判定部により前記予め定められた条件を満たすと判定された場合に、前記送信機識別情報により特定される画像データを前記通信装置に判定結果として送信する判定結果送信部と
を有し、
複数の前記通信装置が１つの前記送信機から略同時に当該送信機から送信された前記ビーコン信号を受信した場合には、受信した前記ビーコン信号の信号強度が大きい順に、前記送信機識別情報により特定される画像データを前記通信装置に判定結果として送信することを特徴とするサーバ装置。
【請求項７】
ビーコン信号を送信する送信機と、前記送信機により送信されるビーコン信号を受信するとともに、無線通信を行うためのアクセスポイントを経由してサーバ装置と通信可能な通信装置と、前記サーバ装置とを含む通信システムであって、
前記送信機は、当該送信機を識別するための送信機識別情報を含むビーコン信号を送信する送信部を有し、
前記通信装置は、前記ビーコン信号を受信するビーコン受信部と、
前記ビーコン受信部により前記ビーコン信号を受信した場合に、前記送信機識別情報を前記サーバ装置に送信する識別情報送信部と、
前記サーバ装置により、前記送信機識別情報を用いて予め定められた条件を満たすか否かが判定された判定結果を取得する取得部と、
前記取得部により取得された前記判定結果が、前記予め定められた条件を満たすことを示す場合に、利用者に情報を提供するための予め定められた処理を実行する実行部とを有し、
前記予め定められた条件は、前記送信機識別情報により特定される言語情報と、前記通信装置に予め設定されている言語情報とが一致することであり、
前記サーバ装置は、前記送信機識別情報を受信する識別情報受信部と、
前記識別情報受信部により受信された前記送信機識別情報を用いて、前記予め定められた条件を満たすか否か判定する判定部と、
前記判定部により判定された前記判定結果を前記通信装置に送信する判定結果送信部と
を有することを特徴とする通信システム。
【請求項８】
ビーコン信号を送信する送信機と、前記送信機により送信されるビーコン信号を受信するとともに、無線通信を行うためのアクセスポイントを経由してサーバ装置と通信可能な通信装置と、前記サーバ装置とを含む通信システムであって、
前記送信機は、当該送信機を識別するための送信機識別情報を含むビーコン信号を送信する送信部を有し、
前記通信装置は、前記ビーコン信号を受信するビーコン受信部と、
前記ビーコン受信部により前記ビーコン信号を受信した場合に、当該通信装置が接続している前記アクセスポイントを示すアクセスポイント識別情報と前記送信機識別情報とを前記サーバ装置に送信する識別情報送信部と、
前記サーバ装置により、前記アクセスポイント識別情報を用いて予め定められた条件を満たすか否かが判定された判定結果を取得する取得部と、
前記取得部により取得された前記判定結果が、前記予め定められた条件を満たすことを示す場合に、利用者に情報を提供するための予め定められた処理を実行する実行部とを有し、
複数の前記通信装置が１つの前記送信機から略同時に当該送信機から送信された前記ビーコン信号を受信した場合には、受信した前記ビーコン信号の信号強度が大きい順に、前記実行部により前記予め定められた処理が実行され、
前記サーバ装置は、前記アクセスポイント識別情報と前記送信機識別情報とを受信する識別情報受信部と、
前記識別情報受信部により受信された前記アクセスポイント識別情報を用いて、前記予め定められた条件を満たすか否か判定する判定部と、
前記判定部により判定された前記判定結果を前記通信装置に送信する判定結果送信部と
を有することを特徴とする通信システム。
【発明の詳細な説明】
【技術分野】
【０００１】
本発明は、プログラム、通信装置、サーバ装置、及び通信システムに関する。
【背景技術】
【０００２】
従来より、ビーコン信号を用いた情報提供方法が提案されている。例えば、特許文献１には、販売者側装置の電波ビーコン送受信部からは常時電波ビーコン信号が送信されており、購買者が携帯する購買者側装置が電波ビーコン信号の受信エリア内に入ると、購買者側装置の電波ビーコン送受信部から応答信号が送信される技術が開示されている。そして、販売者側装置は、公衆電話回線を介して購買者側装置にアクセスし、商品宣伝情報を送るようになっている。
【先行技術文献】
【特許文献】
【０００３】
【特許文献１】特開２０００−１３４１４７号公報
【発明の概要】
【発明が解決しようとする課題】
【０００４】
しかしながら、特許文献１に開示された技術では、購買者側装置が電波ビーコン信号の受信エリア内に入るだけで、商品宣伝情報が送信されるため、利用者にとっては特に必要のない情報まで受信せざるを得ないという問題がある。
【０００５】
このように、ビーコン信号を用いた従来技術では、利用者にとって不要な情報まで提供されるという問題点があった。
【０００６】
本発明は、このような事情に鑑みてなされたもので、その目的は、利用者に有効な情報を提供可能なプログラム、通信装置、サーバ装置、及び通信システムを提供することにある。
【課題を解決するための手段】
【０００７】
上述した課題を解決するために、本発明は、ビーコン信号を送信する送信機を識別するための識別情報を含むビーコン信号を受信するビーコン受信ステップと、前記ビーコン受信ステップにより前記ビーコン信号を受信した場合に、受信された前記ビーコン信号に含まれる前記識別情報を用いて予め定められた条件を満たすか否かを判定した判定結果を取得する取得ステップと、前記取得ステップにより取得された前記判定結果が、前記予め定められた条件を満たすことを示す場合に、予め定められた処理を実行する実行ステップとをコンピュータに実行させ、前記予め定められた条件は、前記識別情報により特定される言語情報と、前記コンピュータに予め設定されている言語情報とが一致することを特徴とする。
上述した課題を解決するために、本発明は、ビーコン信号を送信する送信機を識別するための識別情報を含むビーコン信号を受信するビーコン受信ステップと、前記ビーコン受信ステップにより前記ビーコン信号を受信した場合に、受信された前記ビーコン信号に含まれる前記識別情報を用いて予め定められた条件を満たすか否かを判定した判定結果を取得する取得ステップと、前記取得ステップにより取得された前記判定結果が、前記予め定められた条件を満たすことを示す場合に、利用者に情報を提供するための予め定められた処理を実行する実行ステップとをコンピュータに実行させ、複数の前記コンピュータが１つの前記送信機から略同時に当該送信機から送信された前記ビーコン信号を受信した場合には、受信した前記ビーコン信号の信号強度が大きい順に、前記実行ステップにより前記予め定められた処理が実行されることを特徴とする。
上述した課題を解決するために、本発明は、通信装置であって、ビーコン信号を送信する送信機を識別するための識別情報を含むビーコン信号を受信するビーコン受信部と、前記ビーコン受信部により前記ビーコン信号を受信した場合に、受信された前記ビーコン信号に含まれる前記識別情報を用いて予め定められた条件を満たすか否かを判定した判定結果を取得する取得部と、前記取得部により取得された前記判定結果が、前記予め定められた条件を満たすことを示す場合に、利用者に情報を提供するための予め定められた処理を実行する実行部とを有し、前記予め定められた条件は、前記識別情報により特定される言語情報と、前記通信装置に予め設定されている言語情報とが一致することを特徴とする。
上述した課題を解決するために、本発明は、通信装置であって、ビーコン信号を送信する送信機を識別するための識別情報を含むビーコン信号を受信するビーコン受信部と、前記ビーコン受信部により前記ビーコン信号を受信した場合に、受信された前記ビーコン信号に含まれる前記識別情報を用いて予め定められた条件を満たすか否かを判定した判定結果を取得する取得部と、前記取得部により取得された前記判定結果が、前記予め定められた条件を満たすことを示す場合に、利用者に情報を提供するための予め定められた処理を実行する実行部とを有し、複数の前記通信装置が１つの前記送信機から略同時に当該送信機から送信された前記ビーコン信号を受信した場合には、受信した前記ビーコン信号の信号強度が大きい順に、前記実行部により前記予め定められた処理が実行されることを特徴とする。
上述した課題を解決するために、本発明は、ビーコン信号を送信する送信機から当該送信機を識別するための送信機識別情報を含むビーコン信号を受信する通信装置と無線通信を行うためのアクセスポイントを経由して通信可能なサーバ装置であって、前記送信機識別情報を受信する識別情報受信部と、前記識別情報受信部により受信された前記送信機識別情報を用いて、予め定められた条件を満たすか否か判定する判定部と、前記判定部により前記予め定められた条件を満たすと判定された場合に、前記送信機識別情報により特定される画像データを前記通信装置に判定結果として送信する判定結果送信部とを有し、前記予め定められた条件は、前記送信機識別情報により特定される言語情報と、前記通信装置に予め設定されている言語情報とが一致することを特徴とする。
上述した課題を解決するために、本発明は、ビーコン信号を送信する送信機から当該送信機を識別するための送信機識別情報を含むビーコン信号を受信する通信装置と無線通信を行うためのアクセスポイントを経由して通信可能なサーバ装置であって、前記通信装置が接続している前記アクセスポイントを示すアクセスポイント識別情報と、前記送信機識別情報とを受信する識別情報受信部と、前記識別情報受信部により受信された前記アクセスポイント識別情報と前記送信機識別情報とを用いて、予め定められた条件を満たすか否か判定する判定部と、前記判定部により前記予め定められた条件を満たすと判定された場合に、前記送信機識別情報により特定される画像データを前記通信装置に判定結果として送信する判定結果送信部とを有し、複数の前記通信装置が１つの前記送信機から略同時に当該送信機から送信された前記ビーコン信号を受信した場合には、受信した前記ビーコン信号の信号強度が大きい順に、前記送信機識別情報により特定される画像データを前記通信装置に判定結果として送信することを特徴とする。
上述した課題を解決するために、本発明は、ビーコン信号を送信する送信機と、前記送信機により送信されるビーコン信号を受信するとともに、無線通信を行うためのアクセスポイントを経由してサーバ装置と通信可能な通信装置と、前記サーバ装置とを含む通信システムであって、前記送信機は、当該送信機を識別するための送信機識別情報を含むビーコン信号を送信する送信部を有し、前記通信装置は、前記ビーコン信号を受信するビーコン受信部と、前記ビーコン受信部により前記ビーコン信号を受信した場合に、前記送信機識別情報を前記サーバ装置に送信する識別情報送信部と、前記サーバ装置により、前記送信機識別情報を用いて予め定められた条件を満たすか否かが判定された判定結果を取得する取得部と、前記取得部により取得された前記判定結果が、前記予め定められた条件を満たすことを示す場合に、利用者に情報を提供するための予め定められた処理を実行する実行部とを有し、前記予め定められた条件は、前記送信機識別情報により特定される言語情報と、前記通信装置に予め設定されている言語情報とが一致することであり、前記サーバ装置は、前記送信機識別情報を受信する識別情報受信部と、前記識別情報受信部により受信された前記送信機識別情報を用いて、前記予め定められた条件を満たすか否か判定する判定部と、前記判定部により判定された前記判定結果を前記通信装置に送信する判定結果送信部とを有することを特徴とする。
上述した課題を解決するために、本発明は、ビーコン信号を送信する送信機と、前記送信機により送信されるビーコン信号を受信するとともに、無線通信を行うためのアクセスポイントを経由してサーバ装置と通信可能な通信装置と、前記サーバ装置とを含む通信システムであって、前記送信機は、当該送信機を識別するための送信機識別情報を含むビーコン信号を送信する送信部を有し、前記通信装置は、前記ビーコン信号を受信するビーコン受信部と、前記ビーコン受信部により前記ビーコン信号を受信した場合に、当該通信装置が接続している前記アクセスポイントを示すアクセスポイント識別情報と前記送信機識別情報とを前記サーバ装置に送信する識別情報送信部と、前記サーバ装置により、前記アクセスポイント識別情報を用いて予め定められた条件を満たすか否かが判定された判定結果を取得する取得部と、前記取得部により取得された前記判定結果が、前記予め定められた条件を満たすことを示す場合に、利用者に情報を提供するための予め定められた処理を実行する実行部とを有し、複数の前記通信装置が１つの前記送信機から略同時に当該送信機から送信された前記ビーコン信号を受信した場合には、受信した前記ビーコン信号の信号強度が大きい順に、前記実行部により前記予め定められた処理が実行され、前記サーバ装置は、前記アクセスポイント識別情報と前記送信機識別情報とを受信する識別情報受信部と、前記識別情報受信部により受信された前記アクセスポイント識別情報を用いて、前記予め定められた条件を満たすか否か判定する判定部と、前記判定部により判定された前記判定結果を前記通信装置に送信する判定結果送信部とを有することを特徴とする。
【発明の効果】
【０００８】
以上説明したように、この発明によれば、利用者に有効な情報を提供可能なプログラム、通信装置、サーバ装置、及び通信システムを提供することができる。
【図面の簡単な説明】
【０００９】
【図１】発明の一実施形態による通信システムの構成を示す概略ブロック図である。
【図２】図１で説明した通信システムの適用例を示す図である。
【図３】ＡＰ＿ＳＳＩＤデータベースの一例を示す図である。
【図４】ビーコンデータベースの一例を示す図である。
【図５】通信システムにおける処理の流れを示すシーケンス図である。
【図６】発明の一実施形態による通信システムの構成を示す概略ブロック図である。
【図７】図６で説明した通信システムの適用例を示す図である。
【図８】範囲データベースの一例を示す図である。
【図９】第２の実施の形態に係る通信装置における処理手順を示したフローチャートである。
【図１０】中心データベースの一例を示す図である。
【図１１】第３の実施の形態に係る通信装置における処理手順を示したフローチャートである。
【図１２】発明の一実施形態による通信システムの構成を示す概略ブロック図である。
【図１３】時刻言語データベースの一例を示す図である。
【図１４】第４の実施の形態に係る通信装置における処理手順を示したフローチャートである。
【図１５】発明の一実施形態による通信システムの構成を示す概略ブロック図である。
【図１６】第５の実施の形態に係る通信装置における処理手順を示したフローチャートである。
【図１７】ビーコン信号を受信した通信装置の処理の実行順番を管理するための管理データを示す図である。
【図１８】ビーコン信号を受信した通信装置の処理の実行順番を管理するための管理データを示す図である。
【発明を実施するための形態】
【００１０】
以下、本発明の一実施形態による通信システムについて図面を参照して説明する。
【００１１】
[第１の実施の形態]
図１は、この発明の一実施形態による通信システム１の構成を示す概略ブロック図である。
【００１２】
図１には、ビーコン信号を送信するビーコン送信機３０（以下、「送信機」という）と、送信機３０により送信されるビーコン信号を受信するとともに、無線通信を行うためのアクセスポイント４０（以下、「ＡＰ」という）を経由してサーバ装置２０（以下、「サーバ」という）と通信可能な通信装置１０と、サーバ２０の概略ブロック図が示されている。
【００１３】
送信機３０は、一定間隔でビーコン信号を送信するビーコン送信部３１を有する。このビーコン送信部３１により送信されるビーコン信号は送信機３０を識別するための送信機識別情報であるビーコンＳＳＩＤ（Service Set Identifier）を含む。また、ビーコン信号は、例えばbluetooth4.0の規格に従って送信される。
【００１４】
通信装置１０は、通信部１１、応答メッセージ取得判定部１５、表示部１６、送信メッセージ生成部１７、及びＡＰ＿ＳＳＩＤ１８を有する。通信部１１は、受信部１２、ビーコン受信部１３、及び送信部１４を有する。
【００１５】
ビーコン受信部１３は、送信機３０が送信するビーコン信号を受信し、ビーコン信号に含まれるビーコンＳＳＩＤを送信メッセージ生成部１７へ出力する。受信部１２と送信部１４は、ＡＰ４０との間でデータの送受信を行うことで、通信装置１０はサーバ２０と通信を行うことができる。
【００１６】
送信メッセージ生成部１７は、通信装置１０が接続しているＡＰ４０を示すアクセスポイント識別情報であるＡＰ＿ＳＳＩＤ１８と、ビーコン受信部１３が出力したビーコンＳＳＩＤとを含むメッセージを生成し、送信部１４に出力する。なお、一般的にＳＳＩＤは、アクセスポイント内に入った都度、通信装置が取得するものであるので、本実施の形態では、通信装置１０がＡＰ４０から取得したＳＳＩＤをＡＰ＿ＳＳＩＤ１８として予め定められた記憶領域に記憶している。
【００１７】
応答メッセージ取得判定部１５は、識別情報であるＡＰ＿ＳＳＩＤを用いて、後述する予め定められた条件を満たすか否かがサーバ２０により判定され、受信部１２により受信された判定結果を取得する。
【００１８】
本実施の形態では、予め定められた条件が満たされると判定された場合には、画像データが判定結果としてサーバ２０から送信され、満たされないと判定された場合には、ＮＧが送信結果としてサーバ２０から送信される。
【００１９】
応答メッセージ取得判定部１５は、送信結果を判定し、送信結果が画像データの場合には、当該画像データが示す画像を表示部１６に表示し、送信結果がＮＧの場合には、何もしない。このように、本実施の形態において、判定結果が予め定められた条件を満たすことを示す場合に実行される予め定められた処理は、通信装置１０に設けられた表示部１６にビーコンＳＳＩＤにより特定される情報を出力する処理である。具体的には、ビーコンＳＳＩＤにより特定される画像を表示する処理となっている。このことは、後述する他の実施の形態でも同じである。
【００２０】
次にサーバ２０について説明する。サーバ２０は、受信部２１、ＩＤデータベース２２、条件判定部２３、応答メッセージ生成部２４、及び送信部２５を有する。
【００２１】
受信部２１は、ＡＰ４０を経由して通信装置１０が送信したデータを受信する。条件判定部２３は、受信部２１が受信したＡＰ＿ＳＳＩＤを用いて、ＩＤデータベース２２を参照し、上記予め定められた条件を満たすか否か判定し、その判定結果を応答メッセージ生成部２４に出力する。予め定められた条件を満たす場合には、画像データが出力され、そうでない場合にはＮＧが出力される。なお、上記ＩＤデータベース２２については後述する。
【００２２】
応答メッセージ生成部２４は、条件判定部２３が出力した判定結果を含むメッセージを生成し、送信部２５に出力する。送信部２５は、応答メッセージ生成部２４が生成したメッセージを通信装置１０に送信する。
【００２３】
以上説明した図１において、通信装置１０、サーバ２０、送信機３０、及びＡＰ４０は１つずつしか示されていないが、複数設けられていてもよい。なお、本実施の形態では、通信装置１０、送信機３０、及びＡＰ４０が複数設けられている形態を想定している。
【００２４】
図２は、図１で説明した通信システム１の適用例を示す図である。
【００２５】
図２には、通信装置１０として、利用者が携帯しているスマートフォンが示され、送信機３０として案内係が装着しているバッジが示されている。また、ビーコン信号の届く範囲５０、及びＡＰ４０のセル５１も示されている。
【００２６】
通信装置１０が、範囲５０に入り、さらにセル５１にも入っている場合、図２に示されるように、通信装置１０の表示部１６に画像が表示されるようになっている。図２の場合、案内係は案内や説明をするための案内係である。図２に示されるように、セル５１の範囲内に存在する利用者と案内係が近づくと、表示部１６に送信機３０を装着した案内係の画像が表示されるようになっている。なお、この画面には、案内係の写真と「私を呼んでください」というメッセージなど、利用者に有効な情報が含まれている。
【００２７】
すなわち、送信機３０からビーコン信号を受信した通信装置１０は、ビーコンＳＳＩＤとＡＰ＿ＳＳＩＤをサーバ２０に送信すると、サーバ２０は、通信装置１０がセル５１の範囲内であるので、画像データを送信することとなる。
【００２８】
従って、図２における予め定められた条件は、通信装置１０が無線通信を行うための予め定められたＡＰに通信装置１０が接続されていること、となっている。このように、本実施の形態によれば、案内係が装着した送信機３０が送信するビーコン信号がセル５１の範囲内に届くときのみ、通信装置１０に画像が表示されるので、利用者に有効な情報を提供することができる。
【００２９】
一方、案内係が他の場所などに移動することにより、送信機３０が送信するビーコン信号がセル５１の範囲内に届かない場合には、通信装置１０に画像が表示されることはないので、利用者に不要な情報を提供することを防止できる。すなわち、セル５１内の場所に関連のない不要な情報の提供を防止することができる。
【００３０】
図３は、ＩＤデータベース２２のうちのＡＰ＿ＳＳＩＤデータベースの一例を示す図である。
【００３１】
ＡＰ＿ＳＳＩＤデータベースは、ＡＰのＳＳＩＤを記憶するためのデータベースである。例えば送信機３０を装着する案内係がいる観光地などに設置されたＡＰのＳＳＩＤが記憶される。このＡＰ＿ＳＳＩＤデータベースにより、画像を表示する場合の通信装置１０が存在する範囲を制限することができる。
【００３２】
図４は、ＩＤデータベース２２のうちのビーコンデータベースの一例を示す図である。
【００３３】
ビーコンデータベースは、ビーコンＳＳＩＤと画像データとを対応付けるためのデータベースである。すなわち、案内係が装着している送信機３０と案内係の画像とを対応付けるものである。例えば、ビーコンＳＳＩＤが１２３４５６の送信機を装着した案内係に対応する画像データは、ａｂｃ．ｊｐｇである。
【００３４】
サーバ２０が通信装置１０から受信したＡＰ＿ＳＳＩＤが上述したＡＰ＿ＳＳＩＤデータベースに存在する場合、ビーコンデータベースにおいて、受信したビーコンＳＳＩＤに対応する画像データがサーバ２０から通信装置１０に送信されることとなる。
【００３５】
図５は、通信システム１における処理の流れを示すシーケンス図である。
【００３６】
図５において、まず送信機３０がビーコン信号を送信すると（ステップＳ１０１）、通信装置１０は、送信メッセージ生成部１７が生成したＡＰ＿ＳＳＩＤとビーコンＳＳＩＤとを含むメッセージをＡＰ４０に送信する（ステップＳ１０２）。
【００３７】
ＡＰ４０は、ＡＰ＿ＳＳＩＤとビーコンＳＳＩＤとを含むメッセージをサーバ２０に送信し（ステップＳ１０３）、サーバは条件判定部２３が条件を満たしているか否か判定する判定処理を実行する（ステップＳ１０４）。
【００３８】
条件判定部２３により条件を満たしていると判定された場合、サーバ２０は、上述したように画像データを含むメッセージをＡＰ４０に送信する（ステップＳ１０５）。ＡＰ４０は、判定結果として画像データを含むメッセージを通信装置１０に送信し（ステップＳ１０６）、通信装置１０は、応答メッセージ取得判定部１５が判定結果を取得し、判定処理を実行する（ステップＳ１０７）。
【００３９】
応答メッセージ取得判定部１５は、判定結果として画像データを取得したので、条件を満たしていると判定し、表示部１６に画像データが示す画像を表示する（ステップＳ１０８）。
【００４０】
一方、条件判定部２３により条件を満たしていない判定された場合、サーバ２０は、ＮＧを含むメッセージをＡＰ４０に送信する（ステップＳ１０９）。ＡＰ４０は、判定結果としてＮＧを含むメッセージを通信装置１０に送信し（ステップＳ１１０）、通信装置１０は、応答メッセージ取得判定部１５が判定結果を取得し、判定処理を実行する（ステップＳ１１１）。
【００４１】
応答メッセージ取得判定部１５は、判定結果としてＮＧを取得したので、条件を満たしていないと判定し、何もせずに終了する。
【００４２】
[第２の実施の形態]
図６は、この発明の一実施形態による通信システム１００の構成を示す概略ブロック図である。
【００４３】
図６には、ビーコン信号を送信する送信機１３０と、送信機１３０により送信されるビーコン信号を受信する通信装置１１０の概略ブロック図が示されている。
【００４４】
送信機１３０は、一定間隔でビーコン信号を送信するビーコン送信部１３１を有する。このビーコン送信部１３１により送信されるビーコン信号は送信機１３０を識別するための送信機識別情報であるビーコンＳＳＩＤを含む。
【００４５】
通信装置１１０は、条件判定部１２３、表示部１１６、ビーコン受信部１１３、Global Positioning System１５０（以下、「ＧＰＳ」という）、及びＩＤデータベース１２２を有する。
【００４６】
ビーコン受信部１１３は、送信機１３０が送信するビーコン信号を受信し、ビーコン信号に含まれるビーコンＳＳＩＤを条件判定部１２３へ出力する。ＧＰＳ１５０は、ＮＭＥＡ（The National Marine Electronics Association）フォーマットで、緯度、経度、真方位などを条件判定部１２３に出力する。ＩＤデータベース１２２は、図４で説明したビーコンデータベースと後述する範囲データベースである。
【００４７】
条件判定部１２３は、ＧＰＳ１５０が出力した緯度、経度を用いて、ＩＤデータベース１２２を参照し、予め定められた条件を満たすか否か判定する。本実施の形態において、予め定められた条件は、通信装置１１０が予め定められた範囲内に存在すること、となっている。具体的には、ＧＰＳ１５０が出力した緯度、経度が後述する範囲データベースが示す範囲内にあることが条件である。
【００４８】
条件判定部１２３は、ＧＰＳ１５０が出力した緯度、経度が後述する範囲データベースが示す範囲内にある場合には、ビーコンデータベースにおいて、受信したビーコンＳＳＩＤに対応する画像データが示す画像を表示部１１６に表示する。一方、条件判定部１２３は、ＧＰＳ１５０が出力した緯度、経度が後述する範囲データベースが示す範囲内にない場合には、何もしない。
【００４９】
図７は、図６で説明した通信システム１００の適用例を示す図である。
【００５０】
図７には、通信装置１１０として、利用者が携帯しているスマートフォンが示され、送信機１３０として案内係が装着しているバッジが示されている。また、ビーコン信号の届く範囲１５０、及び予め定められた範囲１５１も示されている。
【００５１】
通信装置１０が、範囲１５０に入り、さらに範囲１５１にも入っている場合、図７に示されるように、通信装置１１０の表示部１１６に画像が表示されるようになっている。図７に示されるように、範囲１５１に存在する利用者と案内係が近づくと、表示部１１６に送信機１３０を装着した案内係の画像が表示されるようになっている。
【００５２】
すなわち、送信機１３０からビーコン信号を受信した通信装置１１０は、ＧＰＳ１５０が出力した緯度、経度を用いて、ＩＤデータベース１２２を参照し、通信装置１１０が予め定められた範囲内に存在するので、画像を表示することとなる。
【００５３】
このように、本実施の形態によれば、案内係が装着した送信機１３０が送信するビーコン信号が範囲１５１の範囲内に届くときのみ、通信装置１１０に画像が表示されるので、利用者に有効な情報を提供することができる。
【００５４】
一方、案内係が他の場所などに移動することにより、送信機１３０が送信するビーコン信号が範囲１５１の範囲内に届かない場合には、通信装置１１０に画像が表示されることはないので、利用者に不要な情報を提供することを防止できる。
【００５５】
図８は、ＩＤデータベース１２２のうちの範囲データベースの一例を示す図である。
【００５６】
範囲データベースは、予め定められた範囲を記憶するためのデータベースである。例えば、ＧＰＳ１５０より位置として緯度ｘ、経度ｙが出力された場合、緯度ｘが閉区間[北緯Ｘ１、北緯Ｘ２]に含まれ、かつ経度ｙが閉区間[東経Ｙ１、東経Ｙ２]に含まれる場合に、通信装置１１０が予め定められた範囲内に存在すると判定される。
【００５７】
この範囲データベースに示される範囲は、観光地を含む範囲などとなる。この範囲データベースにより、画像を表示する場合の通信装置１１０が存在する範囲を制限することができる。なお、範囲データベースは、予め定められた記憶領域に記憶されている。
【００５８】
図９は、第２の実施の形態に係る通信装置１１０における処理手順を示したフローチャートである。
図９において、ビーコン受信部１１３がビーコン信号を受信すると（ステップＳ２０１でＹＥＳ）、ビーコン信号からビーコンＳＳＩＤを取得する（ステップＳ２０２）。次いで、条件判定部１２３は、ＧＰＳ１５０から出力された位置を取得し、その位置が範囲データベースに示される範囲内に存在するか否か判定する（ステップＳ２０４）。
【００５９】
位置が範囲データベースに示される範囲内に存在する場合には（ステップＳ２０４でＹＥＳ）、受信したビーコンＳＳＩＤに対応する画像データが示す画像を表示部１１６に表示して（ステップＳ２０５）、本処理を終了する。一方、位置が範囲データベースに示される範囲内に存在しない場合には（ステップＳ２０４でＮＯ）、そのまま本処理を終了する。
【００６０】
以上説明した第２の実施の形態を、第１の実施の形態に示した構成のように、サーバも含めた構成としてもよい。この場合、条件判定部１２３が実行する処理を、サーバが実行するようにしてもよい。
【００６１】
[第３の実施の形態]
第３の実施の形態は、第２の実施の形態で説明した通信システム１００の構成に、中心データベースを加えた形態となるので、この中心データベースについて説明する。第３の実施の形態では、通信装置１１０が予め定められた方向に移動していることが予め定められた条件である。
【００６２】
図１０は、中心データベースの一例を示す図である。
【００６３】
中心データベースは、例えば店舗や観光地の中心位置を北緯と経度で記憶するためのデータベースである。条件判定部１２３は、通信装置１１０がこの中心データベースに示される略中心に移動している場合に、受信したビーコンＳＳＩＤに対応する画像データが示す画像を表示部１１６に表示する。なお、中心データベースは、予め定められた記憶領域に記憶されている。
【００６４】
図１１は、第３の実施の形態に係る通信装置１１０における処理手順を示したフローチャートである。
【００６５】
図１１において、ビーコン受信部１１３がビーコン信号を受信すると（ステップＳ３０１でＹＥＳ）、ビーコン信号からビーコンＳＳＩＤを取得する（ステップＳ３０２）。次いで、条件判定部１２３は、ＧＰＳ１５０から出力された位置を取得し、その位置が範囲データベースに示される範囲内に存在するか否か判定する（ステップＳ３０４）。
【００６６】
位置が範囲データベースに示される範囲内に存在しない場合には（ステップＳ３０４でＮＯ）、そのまま本処理を終了する。一方、位置が範囲データベースに示される範囲内に存在する場合には（ステップＳ３０４でＹＥＳ）、ＧＰＳ１５０が出力した真方位を取得する（ステップＳ３０５）。
【００６７】
そして、条件判定部１２３は、取得した真方位から通信装置１１０が中心データベースに示される略中心方向に移動しているか否か判定する（ステップＳ３０６）。通信装置１１０が略中心方向に移動している場合には（ステップＳ３０６でＹＥＳ）、受信したビーコンＳＳＩＤに対応する画像データが示す画像を表示部１１６に表示して（ステップＳ３０７）、本処理を終了する。一方、通信装置１１０が略中心方向に移動していない場合には（ステップＳ３０６でＮＯ）、そのまま本処理を終了する。
【００６８】
なお、通信装置１１０が略中心方向に移動しているか否かの判定方法の一例として、現在位置から中心へ伸びるベクトルと、真方向のベクトルとのなす角が±１０度以下の場合に略中心方向に移動していると判定する判定方法などが挙げられる。
【００６９】
このように、本実施の形態では、略中心に向かって移動している通信装置１１０に画像が表示されることとなるので、利用者に有効な情報を提供することができる。一方、略中心に向かって移動していない通信装置１１０の場合には、通信装置１１０に画像が表示されることはないので、利用者に不要な情報を提供することを防止できる。この利用者に不要な情報として、例えば進行方向に向かって存在するものに関係がない情報が挙げられる。
【００７０】
以上説明した第３の実施の形態を、第１の実施の形態に示した構成のように、サーバも含めた構成としてもよい。この場合、条件判定部１２３が実行する処理を、サーバが実行するようにしてもよい。
[第４の実施の形態]
図１２は、この発明の一実施形態による通信システム２００の構成を示す概略ブロック図である。
【００７１】
図１２には、ビーコン信号を送信する送信機２３０と、送信機２３０により送信されるビーコン信号を受信する通信装置２１０の概略ブロック図が示されている。
【００７２】
送信機２３０は、一定間隔でビーコン信号を送信するビーコン送信部２３１を有する。このビーコン送信部２３１により送信されるビーコン信号は送信機２３０を識別するための送信機識別情報であるビーコンＳＳＩＤを含む。
【００７３】
通信装置２１０は、条件判定部２２３、表示部２１６、クロック２５１、ビーコン受信部２１３、設定言語２５２、及びＩＤデータベース２２２を有する。
【００７４】
ビーコン受信部２１３は、送信機２３０が送信するビーコン信号を受信し、ビーコン信号に含まれるビーコンＳＳＩＤを条件判定部２２３へ出力する。クロック２５１は、現在時刻を条件判定部２２３に出力する。設定言語２５２は、通信装置２１０の利用者により予め設定されている言語情報であり、利用者が使用可能な言語を示している。ＩＤデータベース２２２については後述する。上記設定言語２５２とＩＤデータベース２２２は予め定められた記憶領域に記憶されている。
【００７５】
条件判定部２２３は、クロック２５１が出力した現在時刻を用いて、ＩＤデータベース１２２を参照し、予め定められた条件を満たすか否か判定する。本実施の形態において、予め定められた条件は、現在時刻が予め定められた範囲内の時刻であり、かつビーコンＳＳＩＤにより特定される言語情報と、設定言語２５２が示す言語情報とが一致することである。
【００７６】
条件判定部２２３は、クロック２５１が出力した現在時刻が後述する時刻言語データベースが示す範囲内にあり、かつビーコンＳＳＩＤにより特定される言語情報と設定言語２５２が示す言語情報とが一致する場合には、受信したビーコンＳＳＩＤに対応する画像データが示す画像を表示部２１６に表示する。
【００７７】
一方、条件判定部２２３は、クロック２５１が出力した現在時刻が時刻言語データベースが示す範囲内にないか、またはビーコンＳＳＩＤにより特定される言語情報と設定言語２５２が示す言語情報とが一致しない場合には、何もしない。
【００７８】
図１３は、時刻言語データベースの一例を示す図である。
【００７９】
時刻言語データベースは、例えば店舗の開店時間などの時間や、案内係が対応可能な言語を記憶するためのデータベースである。例えば、ビーコンＳＳＩＤが１２３４５６の送信機２３０を装着した案内係が対応可能な言語は英語であり、対応可能な時間はＴ１からＴ２の間である。なお、対応言語及び時間は１つずつ記載されているが、複数の対応言語や複数の時間を記憶するようにしてもよい。
【００８０】
図１４は、第４の実施の形態に係る通信装置２１０における処理手順を示したフローチャートである。
【００８１】
図１４において、ビーコン受信部２１３がビーコン信号を受信すると（ステップＳ４０１でＹＥＳ）、ビーコン信号からビーコンＳＳＩＤを取得する（ステップＳ４０２）。次いで、条件判定部２２３は、クロック２５１から出力された現在時刻を取得し、その時刻が時間言語データベースに示される範囲内か否か判定する（ステップＳ４０４）。
【００８２】
時刻が時間言語データベースに示される範囲内ではない場合には（ステップＳ４０４でＮＯ）、そのまま本処理を終了する。一方、時刻が時間言語データベースに示される範囲内の場合には（ステップＳ４０４でＹＥＳ）、設定言語２５２を取得する（ステップＳ４０５）。
【００８３】
そして、条件判定部２２３は、取得した設定言語２５２に示される言語情報と、ビーコンＳＳＩＤに対応する対応言語に示される言語情報とが一致しているか否か判定する（ステップＳ４０６）。言語情報が一致している場合には（ステップＳ４０６でＹＥＳ）、受信したビーコンＳＳＩＤに対応する画像データが示す画像を表示部２１６に表示して（ステップＳ４０７）、本処理を終了する。一方、言語情報が一致していない場合には（ステップＳ４０６でＮＯ）、そのまま本処理を終了する。
【００８４】
このように、言語情報をマッチングさせることで、案内係が対応可能な言語を使用する外国人利用者に有効な情報を提供することができる。この言語情報の他に、趣味／嗜好や困りごと／助けられることなどをマッチングさせ、マッチした案内者の画像を表示させるようにしてもよい。
【００８５】
以上説明した第４の実施の形態を、第１の実施の形態に示した構成のように、サーバも含めた構成としてもよい。この場合、条件判定部２２３が実行する処理を、サーバが実行するようにしてもよい。
【００８６】
[第５の実施の形態]
図１５は、この発明の一実施形態による通信システム３００の構成を示す概略ブロック図である。
【００８７】
図１５には、ビーコン信号を送信する送信機３３０と、送信機３３０により送信されるビーコン信号を受信する通信装置３１０の概略ブロック図が示されている。
【００８８】
送信機３３０は、一定間隔でビーコン信号を送信するビーコン送信部３３１を有する。このビーコン送信部３３１により送信されるビーコン信号は送信機３３０を識別するための送信機識別情報であるビーコンＳＳＩＤを含む。
【００８９】
通信装置３１０は、条件判定部３２３、表示部３１６、ビーコン受信部３１３、及びＩＤデータベース３２２を有する。
【００９０】
ビーコン受信部３１３は、送信機３３０が送信するビーコン信号を受信し、ビーコン信号に含まれるビーコンＳＳＩＤを条件判定部３２３へ出力する。さらに、ビーコン受信部３１３は、ビーコン信号の受信強度であるビーコン受信強度を出力する。ＩＤデータベース３２２は図４で説明したビーコンデータベースである。ＩＤデータベース３２２は予め定められた記憶領域に記憶されている。
【００９１】
条件判定部３２３は、ビーコン受信部３１３が出力したビーコンＳＳＩＤとビーコン受信強度を、ビーコンＳＳＩＤごとに管理しており、ＩＤデータベース３２２を参照し、予め定められた条件を満たすか否か判定する。本実施の形態において、予め定められた条件は、ビーコン受信強度が大きくなっていることである。
【００９２】
条件判定部３２３は、同一のビーコンＳＳＩＤのビーコン強度が大きくなっている場合に、当該ビーコンＳＳＩＤに対応する画像データが示す画像を表示部３１６に表示する。
【００９３】
一方、条件判定部３２３は、ビーコン受信強度が大きくなっていない場合には、何もしない。
【００９４】
図１６は、第５の実施の形態に係る通信装置３１０における処理手順を示したフローチャートである。
【００９５】
図１６において、ビーコン受信部３１３がビーコン信号を受信すると（ステップＳ５０１でＹＥＳ）、ビーコン信号からビーコンＳＳＩＤを取得し（ステップＳ５０２）、ビーコン受信強度を取得する（ステップＳ５０３）。次いで、条件判定部３２３は、同一のビーコンＳＳＩＤのビーコン強度が大きくなっているか否か判定する（ステップＳ５０４）。
【００９６】
ビーコン強度が大きくなっていない場合には（ステップＳ５０４でＮＯ）、そのまま本処理を終了する。一方、同一のビーコンＳＳＩＤのビーコン強度が大きくなっている場合には（ステップＳ５０４でＹＥＳ）、ビーコン強度が大きくなっているビーコンＳＳＩＤに対応する画像データが示す画像を表示部３１６に表示して（ステップＳ５０５）、本処理を終了する。
【００９７】
このように、ビーコン強度が大きくなっている場合、案内係に利用者が近づいていることを示すので、利用者により近い案内係に対応する画像を表示できるので、利用者に有効な情報を提供することができる。
【００９８】
以上説明した第５の実施の形態を、第１の実施の形態に示した構成のように、サーバも含めた構成としてもよい。この場合、条件判定部３２３が実行する処理を、サーバが実行するようにしてもよい。
【００９９】
上述した実施の形態において、各々のシステム構成をサーバを含めた構成とし、さらに複数の通信装置が１つの送信機から略同時に当該送信機から送信されたビーコン信号を受信した場合には、画像を表示する処理を実行する順番を、各々の通信装置が受信したビーコン信号の信号強度が大きい順に実行させるようにしてもよい。
【０１００】
この場合、サーバではビーコンＳＳＩＤと端末を識別するための端末ＩＤとビーコン受信強度による管理を行う。
【０１０１】
一般的に、ビーコン受信強度が大きい通信装置ほど、送信機に距離的に近いため、利用者は近い方の送信機を装着した案内係の画像が表示されることとなり、より利用者に有効な情報を提供することができる。さらに、順番に画像を表示する処理を実行させるので、一度に複数の利用者が１人の案内係に集中することを回避することができる。
【０１０２】
図１７は、ビーコンＳＳＩＤが１２３４５６の送信機が送信したビーコン信号を受信した通信装置の処理の実行順番を管理するための管理データを示す図であり、図１８は、ビーコンＳＳＩＤが０００２３５の送信機が送信したビーコン信号を受信した通信装置の処理の実行順番を管理するための管理データを示す図である。
【０１０３】
このように、送信機ごとに順番が管理される。例えば、図１７において、端末ＩＤがＡの通信装置のビーコン受信強度Ｓ１の方が、端末ＩＤがＢの通信装置のビーコン受信強度Ｓ２よりも大きいので、予め定められた処理を端末ＩＤがＡ，Ｂの通信装置の順に実行させることとなる。
【０１０４】
この場合、サーバは、まず端末ＩＤがＡの通信装置に画像データを送信し、その後一定時間経過後に端末ＩＤがＢの通信装置に画像データを送信することで、端末ＩＤがＡ，Ｂの通信装置の順に画像を表示する処理を実行させることができる。また、第２から第４の実施の形態における条件判定部は、受信されたビーコン信号に含まれる識別情報を用いて予め定められた条件を満たすか否かを判定した判定結果をサーバから取得することとなる。
【０１０５】
また、図１８において、端末ＩＤがＢの通信装置のビーコン受信強度Ｓ３の方が、端末ＩＤがＡの通信装置のビーコン受信強度Ｓ４よりも大きいので、予め定められた処理を端末ＩＤがＢ，Ａの順に実行させることとなる。
【０１０６】
この場合、サーバは、まず端末ＩＤがＢの通信装置に画像データを送信し、その後一定時間経過後に端末ＩＤがＡの通信装置に画像データを送信することで、端末ＩＤがＢ，Ａの通信装置の順に画像を表示する処理を実行させることができる。
【０１０７】
また、上述した実施の形態において、予め定められた処理として画像を表示する処理を例として用いたが、例えばＬＥＤを有する通信装置では、ＬＥＤを点滅させるなどの処理を実行するようにしてもよい。また、スピーカを有する通信装置では、音を出力する処理を実行するようにしてもよい。なお、図１７，１８では、ビーコン受信強度順に情報を表示しているが、上述した趣味／嗜好や困りごと／助けられることなどの適合順にデータを並べ替え、適合度が大きい案内者の画像を表示させるようにしてもよい。
【０１０８】
以上説明したように、本実施の形態によれば、利用者に有効な情報を提供することができる。具体的には、従来のビーコンを用いた技術では、ビーコン信号を受信すると直ちに情報が提供されていたところ、本実施の形態では、ビーコン信号を受信し、予め定められた条件が満たされた場合に情報を提供するという縛りが加わるため、利用者により有効な情報を提供可能となっている。
【０１０９】
上述した実施形態における通信装置の処理をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ（Field Programmable Gate Array）等のプログラマブルロジックデバイスを用いて実現されるものであってもよい。
【０１１０】
以上、この発明の実施形態について図面を参照して詳述してきたが、具体的な構成はこの実施形態に限られるものではなく、この発明の要旨を逸脱しない範囲の設計等も含まれる。
（付記）本発明は、ビーコン信号を送信する送信機を識別するための識別情報を含むビーコン信号を受信するビーコン受信ステップと、前記ビーコン受信ステップにより前記ビーコン信号を受信した場合に、受信された前記ビーコン信号に含まれる前記識別情報を用いて予め定められた条件を満たすか否かを判定した判定結果を取得する取得ステップと、前記取得ステップにより取得された前記判定結果が、前記予め定められた条件を満たすことを示す場合に、予め定められた処理を実行する実行ステップとをコンピュータに実行させることを特徴とする。
【符号の説明】
【０１１１】
１、１００、２００、３００  通信システム、
１０、１１０、２１０、３１０  通信装置、
１２、２１  受信部、１３、１１３、２１３、３１３  ビーコン受信部、
１４  送信部（識別情報送信部）、２５  送信部（判定結果送信部）、
１５  応答メッセージ取得判定部（取得部、実行部）、
１６、１１６、２１６、３１６  表示部、
１７  送信メッセージ生成部、２０  サーバ装置、
２２、１２２、２２２、３２２  ＩＤデータベース、
２３、１２３、２２３、３２３  条件判定部（取得部、実行部）、
２４  応答メッセージ生成部、３０、１３０、２３０、３３０  送信機、
３１、１３１、２３１、３３１  ビーコン送信部、４０  アクセスポイント、
２５１  クロック、２５２  設定言語
【図１】
0006369985.tif 000002
【図２】
0006369985.tif 000003
【図３】
0006369985.tif 000004
【図４】
0006369985.tif 000005
【図５】
0006369985.tif 000006
【図６】
0006369985.tif 000007
【図７】
0006369985.tif 000008
【図８】
0006369985.tif 000009
【図９】
0006369985.tif 000010
【図１０】
0006369985.tif 000011
【図１１】
0006369985.tif 000012
【図１２】
0006369985.tif 000013
【図１３】
0006369985.tif 000014
【図１４】
0006369985.tif 000015
【図１５】
0006369985.tif 000016
【図１６】
0006369985.tif 000017
【図１７】
0006369985.tif 000018
【図１８】
0006369985.tif 000019